(57)【特許請求の範囲】
【請求項１】
ヘッダーを取付面に取付けるためのヘッダー用固定部材であって、
該ヘッダーを保持するためのヘッダー保持具が表面に取り付けられている長尺形状の第１ベース板と、
該第１ベース板に軸支され、該第１ベース板に対して回動自在とされている第２ベース板と、
を備え、
更に、該第１ベース板及び該第２ベース板に、該第１ベース板又は該第２ベース板を前記取付面に固定する固定ピンが挿入可能な固定孔部が設けられており、
該第１ベース板と該第２ベース板とが相対的に回動することにより、該第１ベース板の長手方向に対して直交する横幅が増減し、
前記第１ベース板は、板厚方向に折り曲げられてなる段部が形成されたものであって、中間部に配置された高台部と、該高台部の両端に形成された低端部とを備え、該高台部の表面にはヘッダー保持具が取り付けられ、該低端部に前記固定孔部が設けられ、
前記第２ベース板は、前記第１ベース板の高台部の下側空間内に収容可能な寸法形状とされている
ことを特徴とするヘッダー用固定部材。
【請求項２】
前記第２ベース板は、前記第１ベース板の高台部に軸支される高台部と、該高台部の両端に位置する低端部とを備え、該低端部に前記固定孔部が設けられ、
更に、第１ベース板の低端部と第２ベース板の低端部の下面が、面一である
請求項１に記載のヘッダー用固定部材。
【発明の詳細な説明】
【技術分野】
【０００１】
本発明は、建物内に設置される給水、給湯又は排水用のヘッダーを固定するための固定部材に関するものである。
【背景技術】
【０００２】
従来、家屋等の建物内の給水、給湯又は排水のためにヘッダーが用いられている。該ヘッダーは通常床下に配設され、所定の固定部材によってベタ基礎の底面、あるいは布基礎における地表面等に固定されている（例えば、特許文献１〜４参照）。
【先行技術文献】
【特許文献】
【０００３】
【特許文献１】特開２００４−３５３７６９号公報
【特許文献２】特開２００６−３３６４１１号公報
【特許文献３】特開２００９−２８７２４６号公報
【特許文献４】特開２０１０−２０９９３０号公報
【発明の概要】
【発明が解決しようとする課題】
【０００４】
しかしながら、建物の床下に設定された取付面に上記ヘッダーを取付ける際には、次のような点を考慮する必要があった。すなわち、該取付面が、水平な底面か鉛直な壁面か、あるいは十分な面積を確保できるか狭小か、もしくは土面かコンクリート面かあるいは木質面かなどの現場状況を考慮する必要がある。これは、確実にヘッダーを取付面に取り付けるべく、取付面の状況に合わせて、あらかじめ多種多様に準備された固定部材あるいはその付属品等のなかから最適な構成を適宜選択しなければならないためである。例えば、取付面がコンクリート面である場合、いわゆる金属製のアンカーピンを選択する必要がある。あるいは、取付面が土面である場合、接地面積を確保するため大型の基台が必要であり、かつ径大で長尺なピンを選択する必要がある。このため、従来構成は、部品点数が多くなり、取付作業が煩雑となって手間がかかるという問題があった。
【０００５】
また、通常、ヘッダー用の固定部材は平面視略長方形の板部材で構成されており、ヘッダーの長手方向と該固定部材の長手方向とが一致するような取り付け構造となっている。このため、このような構造の固定部材を壁面に取り付ける場合、配管容易性を考慮して該ヘッダーを水平に保持すべく、該固定部材を横向きに取り付けると、該固定部材が取付面に対してがたつきやすくなり、安定性に劣るという問題が生じる。
【０００６】
そこで本発明は、取付面の状況に柔軟に対応でき、かつ該取付面に安定して固定されるヘッダー用固定部材を提供することを目的とする。
【課題を解決するための手段】
【０００７】
本発明は、ヘッダーを取付面に取付けるためのヘッダー用固定部材であって、該ヘッダーを保持するためのヘッダー保持具が表面に取り付けられている長尺形状の第１ベース板と、該第１ベース板に軸支され、該第１ベース板に対して回動自在とされている第２ベース板と、を備え、更に、該第１ベース板及び該第２ベース板に、該第１ベース板又は該第２ベース板を前記取付面に固定する固定ピンが挿入可能な固定孔部が設けられており、該第１ベース板と該第２ベース板とが相対的に回動することにより、該第１ベース板の長手方向に対して直交する横幅が増減し、前記第１ベース板は、板厚方向に折り曲げられてなる段部が形成されたものであって、中間部に配置された高台部と、該高台部の両端に形成された低端部とを備え、該高台部の表面にはヘッダー保持具が取り付けられ、該低端部に前記固定孔部が設けられ、前記第２ベース板は、前記第１ベース板の高台部の下側空間内に収容可能な寸法形状とされていることを特徴とするヘッダー用固定部材である。また、望ましくは、前記第２ベース板は、前記第１ベース板の高台部に軸支される高台部と、該高台部の両端に位置する低端部とを備え、該低端部に前記固定孔部が設けられ、更に、第１ベース板の低端部と第２ベース板の低端部の下面が、面一である。
【０００８】
上記構成は、第１ベース板に対して第２ベース板が回動自在に取付けられており、取付面の面積に応じて該第２ベース板を相対的に回動させて、第１ベース板の長手方向に直交するヘッダー用固定部材の横幅を柔軟に変更することができる。例えば、取付面の面積が十分に確保できる場合、第２ベース板を相対的に回動させてヘッダー用固定部材の横幅を増大させることにより、取付面での固定状態を安定化させることができる。一方、取付面の面積が十分に確保できない場合、第２ベース板を相対的に回動させてヘッダー用固定部材の横幅を減少させることにより、該ヘッダー用固定部材をコンパクトな状態とすることができる。かかる構成は、取付面の状況に応じて異なる固定部材を用意する必要がなく、作業者はただ一種の固定部材を現場に持ち込めばよいので、作業効率の面からもコストの面からも非常に有意なものとなる。
【０００９】
また、前記第２ベース板は、長方形状であって、該第１ベース板に重ねられていると共に、該第１ベース板の板厚方向に沿った回動軸を介して該第１ベース板に軸支されている構成であってもよい。
【００１０】
かかる構成は、該ヘッダー用固定部材の厚みを可及的に薄くすることが可能となり、全体として該ヘッダー用固定部材をコンパクトなものとすることができる。
【００１１】
また、前記固定孔部は、互いに径の異なる複数の孔によって構成されており、各孔には互いに異なる種類の固定ピンが選択的に挿入されることが望ましい。
【００１２】
かかる構成とすることにより、例えば取付面がベタ基礎のコンクリート面である場合には径小なアンカーピンを通すために径小孔を用い、取付面が土面である場合には径大なピンを通すために径大孔を用いる、といった使い分けができる。
【００１３】
更に、前記ヘッダー保持具は、前記第１ベース板における取付位置で、該第１ベース板の板厚方向に沿った回動軸を中心に回動自在であることが望ましい。
【００１４】
かかる構成とすることにより、前記ヘッダーの向きを前記固定部材に対して柔軟に変更することが可能となる。
【発明の効果】
【００１５】
本発明のヘッダー用固定部材は、複数種類の固定部材を用意することなく、取付面の状況に応じて、安定的に固定することができるため、作業効率及びコストの面で非常に優れている。
【図面の簡単な説明】
【００１６】
【図１】実施例にかかるヘッダー用固定部材であり、（ａ）は平面図、（ｂ）は縦断面図。
【図２】第２ベース板を回動させた状態のヘッダー用固定部材の平面図。
【図３】図１（ａ）の側面図。
【図４】ヘッダー用固定部材を面積が広い土面に固定した状態を示し、（ａ）は平面図、（ｂ）は縦断面図。
【図５】ヘッダー用固定部材を狭小なコンクリート面に固定した状態を示し、（ａ）は平面図、（ｂ）は縦断面図。
【図６】ヘッダー用固定部材を壁面に固定した状態を示す正面図。
【図７】他の実施例にかかるヘッダー用固定部材を示し、(ａ）は幅狭とした際の平面図、（ｂ）は幅広とした際の平面図。
【図８】他の実施例にかかるヘッダー用固定部材を示し、（ａ）は幅広とした際の平面図、（ｂ）は幅狭とした際の縦断面図。
【発明を実施するための形態】
【００１７】
以下、本発明のヘッダー用固定部材１（以下、単に固定部材１とも言う）を具体化した実施例を詳細に説明する。なお、該ヘッダーは、給水又は給湯用であってもよいし、排水用であってもよい。
【００１８】
図１ａ，ｂ又は図２に示すように、固定部材１は、平面視長方形状の第１ベース板２、及び該第１ベース板２とほぼ同形でやや小型の第２ベース板４を備えている。
【００１９】
前記第１ベース板２は、板厚方向に折り曲げ加工されて段部が形成されることで、中間部に配置された高台部２Ａと、該高台部２Ａの両端に形成された低端部２Ｂ，２Ｂとを備えている。また、図１〜３に示すように、該高台部２Ａの表面には、ヘッダーＨを保持するための半分割可能な円環状のヘッダー保持具３，３が、該第１ベース板２の長手方向に沿って一対取り付けられている。該ヘッダー保持具３は、該第１ベース板２の板厚方向に設けられたピンＰ１を介して該第１ベース板２に回動自在に取り付けられている。なお、該ヘッダー保持具３は、ヘッダーＨを保持するものであり、周知の構成が好適に適用される。
【００２０】
また、前記低端部２Ｂには、該第１ベース板２を取付面に固定するための固定ピンが挿入可能な固定孔部５が設けられている。具体的には、該固定孔部５は、互いに径の異なる径大孔５ａと径小孔５ｂとで構成されている。
【００２１】
前記第２ベース板４は、前記第１ベース板２の下側に重ねられて配置され、該第１ベース板２の高台部２Ａの下面に軸支されている。具体的には、該第１ベース板２の高台部２Ａの中心に設けられた板厚方向に沿うピンＰ２を中心に回動自在とされている。
【００２２】
なお、該第２ベース板４は、前記第１ベース板２の高台部２Ａの下側空間内に収容可能な寸法形状とされており、前記第１ベース板２とほぼ同様に、中間部に配置されたピンＰ２が接続される高台部４Ａと、該高台部４Ａの両端に位置する低端部４Ｂ，４Ｂとを備えている。
【００２３】
また、該低端部４Ｂには、固定孔部５が設けられている。該固定孔部５は、第１ベース板２と同様に、互いに径の異なる径大孔５ａと径小孔５ｂとで構成されている。更に、第１ベース板２の低端部２Ｂと、第２ベース板４の低端部４Ｂの下面が、面一となるように寸法形状が設定されている。
【００２４】
上記構成の固定部材１にあっては、前記第２ベース板４が前記第１ベース板２に対してピンＰ２を中心に相対的に回動自在であるため、図１に示すように、該第２ベース板４が該第１ベース板２に隠れる状態、あるいは図２に示すように、該第１ベース板２と該第２ベース板４とが平面視ほぼ十字状となる状態とすることができる。
【００２５】
そして、図１に示すように、該第２ベース板４が該第１ベース板２に隠れる状態にあっては、第１ベース板２に配置された固定孔部５のみが平面視で露出し、全体で２点の固定孔部５が上下方向に開放されて使用可能となる。このとき、第２ベース板４の固定孔部５は、該第１ベース板２によって隠れてしまい、平面視で閉鎖状態となり使用不能となる。
【００２６】
一方、図２に示すように、該第１ベース板２と該第２ベース板４とが平面視ほぼ十字状となる状態にあっては、該第１ベース板２の固定孔部５に加え、該第２ベース板２の固定孔部５も平面視で露出し、全体で４点の固定孔部５が開放状態となって使用可能となる。
【００２７】
したがって、例えば、図４に示すように、取付面である布基礎の土面６における面積が十分に確保された部位にヘッダーＨを取り付ける際には、平面視で該第２ベース板４の固定孔部５，５が露出するように該第２ベース板４を回動させて、前記第１ベース板２の長手方向に直交する固定部材１の横幅Ｗを拡張した上で、第１ベース板２における２点の固定孔部５，５と、第２ベース板４における２点の固定孔部５，５とを合わせた４点の固定孔部５，５，５，５を使用して該固定部材１を土面６に固定する。なお、取付面が土面６であるため、長尺で径大な固定ピンである樹脂ピンＸを各固定孔部５の径大孔５ａに挿入することで固定部材１を確実に固定することができる。
【００２８】
また、例えば、図５に示すように、取付面であるベタ基礎のコンクリート面７における面積が狭小な部位にヘッダーＨを取り付ける際には、前記第２ベース板４を前記第１ベース板２に隠れるように重ねて配置し、前記固定部材１の横幅Ｗを小さくしてコンパクト化した上で、該第１ベース板２の固定孔部５の２点の径小孔５ｂ，５ｂに径小な固定ピンであるアンカーピンＹを通して固定部材１をコンクリート面７に固定する。
【００２９】
なお、図５に示されるように固定部材１を幅狭とすれば、柱材の表面のような幅の狭い箇所にも配設することが可能となる。
【００３０】
また、例えば図６に示すように、取付面である壁面８に、縦向きにした固定部材１を２個横に並べて固定し、更に、上下に並んだヘッダー保持具３をその取付位置で回動させてそれぞれ水平方向に開口させ、左右に隣り合う別の固定部材１のヘッダー保持具３，３間にヘッダーＨ１，Ｈ２を水平に差し渡すようにしてもよい。このような使用状態にあっては、例えば上側のヘッダーＨ１を給水用とし、下側のヘッダーＨ２を給湯用とすることができる。
【００３１】
かかる構成は、ヘッダーＨ１，Ｈ２が水平に保持されるため、配管に不具合が生じにくい。また、長尺形状の固定部材１が縦向きで壁面８に固定されるため、該固定部材１が壁面８に対してがたつきにくく、安定して固定される。
【００３２】
また更に、図７に示すように、ほぼ長方形状の第１ベース板２０に、該第１ベース板２０上に設けられた板厚方向の回動軸であるピンＰ３を介して２個の第２ベース板４０，４０が軸支されている固定部材１０が提案される。
【００３３】
前記固定部材１０は、第２ベース板４０のみ固定孔部５０が配置されている。
【００３４】
かかる構成も、現場状況に応じて該第２ベース板４０，４０を回動させて固定孔部５０を平面視で露出させて、使用可能な固定孔部５０の総数を適宜増減させることができると共に、取付面の状況に合わせて該固定部材１０の横幅Ｗを拡張あるいは縮小することができる。
【００３５】
更に、図８に示すような固定部材６０としてもよい。具体的には、長方形状の第１ベース板２１の高台部２Ａの下側に下側低端部２Ｃが延出形成されており、該下側低端部２Ｃ上に第２ベース板４１が該下側低端部２Ｃに設定されたヒンジ部材Ｑを介して軸支されている。
【００３６】
かかる構成にあって、前記第２ベース板４１が第１ベース板２１に対して相対的に回動すると、該第２ベース板４１が水平となって第１ベース板２１の下側空間から外向きに差し出される状態（図８ａ参照）、あるいは該第２ベース板４１が起立して平面視で該第１ベース板２１に隠れる状態（図８ｂ参照）となる。
【００３７】
すなわち、図８ａに示すように、前記第２ベース板４１が前記第１ベース板２の下側空間から差し出された状態となると、該第２ベース板４１に設けられた固定孔部５が平面視で露出して開放され、使用可能となる。一方、図８ｂに示すように、該第２ベース板４１が平面視で隠れた状態となると、該第２ベース板４１に設けられた固定孔部５は平面視で閉鎖された状態となって使用不能となる。
【００３８】
かかる構成も、取付面の状況に応じて該固定部材６０の横幅Ｗを増減させて、該固定部材６０を適切に取付面に固定することができる。
【００３９】
本発明は、上記実施例に限定されず、本発明の主旨を逸脱しない範囲で適宜設計変更可能である。
【００４０】
例えば、本発明の固定孔部５，５０を構成する孔は、全周に亘って周縁が形成された孔形状であってもよいし、部分的に切欠部が形成された一部切欠孔形状であってもよい。
【００４２】
また、固定ピンとしての樹脂ピンは、金属製のピンであっても勿論よい。
【符号の説明】
【００４３】
１，１０，６０    ヘッダー用固定部材
２，２０，２１    第１ベース板
３                ヘッダー保持具
４，４０，４１    第２ベース板
５，５０          固定孔部
５ａ              径大孔
５ｂ              径小孔
６                土面（取付面）
７                コンクリート面（取付面）
８                壁面（取付面）
Ｈ，Ｈ１，Ｈ２    ヘッダー
Ｐ１，Ｐ２，Ｐ３  ピン（回動軸）
Ｘ                樹脂ピン（固定ピン）
Ｙ                アンカーピン（固定ピン）
【図１】
0005826021.tif 000002
【図２】
0005826021.tif 000003
【図３】
0005826021.tif 000004
【図４】
0005826021.tif 000005
【図５】
0005826021.tif 000006
【図６】
0005826021.tif 000007
【図７】
0005826021.tif 000008
【図８】
0005826021.tif 000009